(57)【要約】【課題】  液晶表示付き押しボタンスイッチの液晶表示部がより見やすいスイッチを提供することを目的とする。【解決手段】  スイッチ本体の上方に接触機構部を動作させるプランジャ上部と操作ボタンの下面に配設した押さえ板の略中央部より下方に作動軸を各々形成して、前記各作動軸に凹凸関係による係合部を設けることにより、前記操作ボタンが扇状に回転する角度切替節度機構を形成し、操作部を傾斜させ角度の調整ができ、液晶表示部をより見やすくした。また、スイッチ本体と操作ボタンを電気的に接続するフレキシブルプリント基板の一部に切欠を入れ、操作ボタンの回転にフレキシブルプリント基板が追従しやすくした。これによりユーザは常に視認性の良い状態で使用することができる。また、光の映り込み等による反射を防止する目的だけでなく、液晶が付属していないスイッチのように斜めや横方向に本発明の液晶表示付き押しボタンスイッチを設置できる。【選択図】      図３
2006156200.tif 000002
【特許請求の範囲】
【請求項１】
接触機構部を配設したスイッチ本体と前記接触機構部を動作させる液晶表示装置を配備した操作ボタンからなる液晶表示付き押しボタンスイッチにおいて、前記スイッチ本体の上方に配設されたプランジャの上部と前記操作ボタンの下方に配設した押さえ板の下部に各々突片を設けるとともに、前記プランジャと前記押さえ板の各突片の略中央部に凹凸関係による係合部をそれぞれ設け、前記操作ボタンの押圧により前記接触機構部を動作させるとともに前記係合部を中心として前記操作ボタンを扇状に角度調整を可能としたことを特徴とする液晶表示付き押しボタンスイッチ。
【請求項２】
前記係合部を構成する前記プランジャと前記押さえ板の突片のいずれか一方に円状凹部を設けるとともに該円状凹部の円周上に弾性を有する凹凸部を設け、もう一方には円柱状凸部を設けるとともに該円柱状凸部の円周上に凹凸部を設け、これらの凹凸の係合により角度切替節度機構を形成し、前記操作ボタンを複数の回転角度に保持することを特徴とした請求項１記載の液晶表示付き押しボタンスイッチ。
【発明の詳細な説明】
【技術分野】
【０００１】
本発明は、液晶表示付き押しボタンスイッチにおいて、操作ボタンを扇状に角度調整できる角度切替節度機構を備えたことを特徴とする液晶表示付き押しボタンスイッチに関する。
【背景技術】
【０００２】
従来、接触機構部を配設したスイッチ本体と前記接触機構部を動作させる液晶表示装置を配備した操作ボタンからなる液晶表示付き押しボタンスイッチにおいて、押さえ板下面に作動軸を有し、該作動軸とプランジャが嵌着し、該プランジャに操作部を配備させてスイッチを構成していた。
【特許文献１】特願平１０−２７７００９号
【発明の開示】
【発明が解決しようとする課題】
【０００３】
しかしながら、上記のように構成されている液晶表示付き押しボタンスイッチは、作動軸にプランジャを嵌着させていたため操作部を自由に動かすことができず、使用方法によっては光の映り込み等により液晶表示が見にくくなる場合があった。
【課題を解決するための手段】
【０００４】
本発明は、上記問題を解決するために、液晶表示付き押しボタンスイッチにおいて、接触機構部を配設したスイッチ本体の上方に配設されたプランジャ上部と操作ボタンの下方に配設した押さえ板下部に突片を設けるとともに、前記プランジャと前記押さえ板の突片の略中央部に凹凸関係による係合部をそれぞれ設け、前記操作ボタンが扇状に回転する角度切替節度機構を設けた。さらにはスイッチ本体と操作ボタンを電気的に接続するフレキシブルプリント基板の一部に切欠を入れ、操作ボタンの回転にフレキシブルプリント基板が追従しやすくなるようにした。
【０００５】
本発明によれば次のような効果を奏することができる。
（１）プランジャと押さえ板の突片の略中央部に凹凸関係による係合部を設けたことにより、操作ボタンを扇状に回転させることができる。
（２）スイッチ本体と操作ボタンを電気的に接続するフレキシブルプリント基板の一部に切欠を入れたことにより、フレキシブルプリント基板が操作ボタンの回転に追従しやすくなった。
（３）光の映り込み等により液晶表示が見にくくなる場合に、操作部の角度を自在に変えられることにより、常に視認性の良い状態で使用することができる。
（４）液晶表示部に反射防止剤等のコーティング剤を塗布する必要がなくなるためコストダウンを図ることができる。
（５）光の映り込み等による反射を防止する目的だけでなく、液晶が付属していないスイッチのように斜めや横方向に本発明の液晶表示付き押しボタンスイッチを設置することができ、さらには液晶の欠点である視野角の問題も解決することができる。
【発明を実施するための最良の形態】
【０００６】
本発明によれば、液晶表示付き押しボタンスイッチにおいて、前記プランジャと前記作動軸のどちらか一方に凹部を形成するとともに該凹部内に弾性を有する凸部を設け、他方に凹部を形成するとともに該凹部の周囲に凹凸部を設けて角度切替節度機構を形成したため操作部の角度を自在に変えることにより、常に視認性の良い状態で使用することができる。また、スイッチ本体と操作ボタンを電気的に接続するフレキシブルプリント基板の一部に切欠を入れ、操作ボタンの回転にフレキシブルプリント基板が追従しやすくすることができる。
【実施例】
【０００７】
以下、本発明の実施例について、図面を参照しながら詳細に説明する。図１は本発明の分解斜視図である。１はボタンであり、この中に液晶表示を行う液晶表示素子２、インターコネクタ３、光を拡散させるディフュ−ザ４、液晶表示素子２からディフュ−ザ４までを保持するホルダ５、バックライトの役割を果たすＬＥＤ６、ＩＣチップ７を搭載した基板８、液晶表示素子２に電気を送るフレキシブルプリント基板９、押さえ板１０までが収納される。前記液晶表示素子２はボタン１の下面に接し、ホルダ５を介して基板８の回路パターンへインターコネクタ３により接続されている。前記ホルダ５周辺にはＬＥＤ６が装着される。前記基板８にはＩＣチップ７を組み込み、インターコネクタ３やＬＥＤ６のリード端子を回路パターン（図示なし）へ接続している。また、前記フレキシブルプリント基板９は、片側に切欠部１８を設け操作部の傾きに対し追従をし易くしている。また、該フレキシブルプリント基板９は貫通孔１７を有し、押さえ板１０の下部の作動軸１９とプランジャ１２の上部の作動軸２０に遊嵌され、フレキシブルプリント基板９の回路パターン２１は基板８の回路パターンに接続されている。さらに、フレキシブルプリント基板９の回路パターン２２は後述するコネクタ１６に接続される。ケース１５は、ラバードーム１４とコネクタ１６を収納するための開口をそれぞれ有しており、カバー１１によりプランジャ１２からケース１５までが覆われる。また、押さえ板１０の略中央部より下方に突出して作動軸１９を形成し、さらにプランジャ１２の略中央部より上方に突出して作動軸２０を形成して、各々の作動軸１９、２０に凹凸関係による係合部を設け、該係合部を中心として前記ボタン１を扇状に角度調整を可能としている。
【０００８】
図２は本発明の角度切替節度形状を構成している押さえ板１０とプランジャ１２の各々の作動軸１９、２０の係合部分を拡大した図である。この図に示すように、プランジャ１２の作動軸２０に凹部２３を形成するとともに凹部２３内に弾性を有する凸部２４を設け、押さえ板１０の作動軸１９に凸部２５を形成するとともに、凸部２５の周囲に凹凸部２６を設けて、角度切替節度機構を形成している。凸部２４と凹凸部２６の係合位置を変えることにより、ボタン１の複数の回転角度に保持することができる。なお、凸部２４や凹凸部２６の形成箇所はプランジャ１２、押さえ板１０のどちらでも構わない。
【０００９】
図３は本発明の操作部の角度の切替状態を示したものである。操作部を倒さない状態では鉛直上方を向いているが、押さえ板１０とプランジャ１２の各々の作動軸１９、２０に設けた角度切替節度形状により操作部を倒し、扇状に回転させることができる。これによりユーザは常に視認性の良い状態で使用することができる。また、光の映り込み等による反射を防止する目的だけでなく、液晶が付属していないスイッチのように斜めや横方向に本発明の液晶表示付き押しボタンスイッチを設置することができ、さらには視野角の問題も解決することができる。
【００１０】
また、本発明は上記実施例に限定されるものではなく、本発明の趣旨に基づいて種々の変形が可能であり、これらを本発明の範囲から排除するものではない。
【図面の簡単な説明】
【００１１】
【図１】本発明の液晶表示付き押しボタンスイッチの分解斜視図である。
【図２】本発明の液晶表示付き押しボタンスイッチの操作部の角度の切替状態を示した図である。
【図３】本発明の液晶表示付き押しボタンスイッチのプランジャと押さえ板の各々の作動軸の係合部を拡大した図である。
【図４】従来の液晶表示付き押しボタンスイッチの分解斜視図である。
【符号の説明】
【００１２】
１、１０１    ボタン
２、１０２    液晶表示素子
３、１０３    インターコネクタ
４、１０４    ディフューザ
５、１０５    ホルダ
６、１０６    ＬＥＤ
７、１０７    ＩＣチップ
８、１０８    基板
９、１０９    フレキシブルプリント基板
１０、１１０  押さえ板
１１、１１１  カバー
１２、１１２  プランジャ
１３、１１３  スイッチ素子
１４、１１４  ラバードーム
１５、１１５  ケース
１６、１１６  コネクタ
１７、１１７  貫通孔
１８  切欠部
１９、２０、１１８、１１９  作動軸
２１、２２、１２０、１２１  回路パターン
２３  凹部
２４、２５  凸部
２６  凹凸部
【図１】
2006156200.tif 000003
【図２】
2006156200.tif 000004
【図３】
2006156200.tif 000005
【図４】
2006156200.tif 000006